(57)【特許請求の範囲】
【請求項１】
所定の外形を呈するように湾曲形成された外周面、軸方向に延びる真直な貫通孔及び当該貫通孔に連続し且つ当該貫通孔に釣糸を上記外周面から径方向に案内して導入するスリットを有するウキ本体と、
上記貫通孔の一方側及び他方側に嵌め込まれ、当該貫通孔内で軸方向に互いに係合することによって当該貫通孔に導入された釣糸を軸方向へのスライドを許容した状態で囲繞保持する一対の保持部材とを備え、
一方の保持部材は、上記貫通孔の一端部に嵌合される円筒状頭部と、当該円筒状頭部に連続して上記貫通孔の内奥部に延びる半円筒状部とを有し、
他方の保持部材は、上記貫通孔の他端部に嵌合される円筒状頭部と、当該円筒状頭部に連続して上記貫通孔の内奥部に延び且つ上記一方の保持部材の半円筒状部と対向配置されることによって上記釣糸を囲繞する半円筒状部とを有し、
上記各保持部材の半円筒状部は、それぞれ、相手方と対向する部位に相手方と連結する連結部を備えた釣用浮き。
【請求項２】
上記浮き本体は、
上記貫通孔の壁面に連続し、上記一対の保持部材を位置決めする座部を備えている請求項１に記載の釣用浮き。
【請求項３】
上記座部は、上記貫通孔を拡径するように形成された段部からなり、
上記半円筒状部は、上記円筒状頭部を縮径するように形成されている請求項２に記載の釣用浮き。
【請求項４】
上記連結部は、山部と谷部とが軸方向に所定ピッチで連続する波形凹凸構造からなる請求項１から３のいずれかに記載の釣用浮き。
【請求項５】
上記各保持部材の先端部の外径寸法が上記貫通孔の内径寸法に対応されており、上記各保持部材の先端部以外の部分は、先端部より縮径されている請求項１から４のいずれかに記載の釣用浮き。
【請求項６】
上記保持部材は、当該保持部材を上記貫通孔から脱抜するための治具が係合される係止部を備えている請求項１から５のいずれかに記載の釣用浮き。
【請求項７】
上記係止部は、軸方向に交差する方向に設けられた係合孔からなる請求項６に記載の釣用浮き。
【発明の詳細な説明】
【技術分野】
【０００１】
本発明は、釣りの際に使用される浮きの構造に関するものである。
【背景技術】
【０００２】
釣りのジャンルに「浮き釣り」というものがある。図７は、一般的な浮き釣りの仕掛けを示す模式図である。浮き釣りでは、中通しタイプの浮きが使用されることが多い（例えば、特許文献１〜特許文献５参照）。
【０００３】
同図が示すように中通しタイプの浮き１は、一般に略紡錘形に形成されており、その軸方向に沿ってライン挿通孔が設けられている。釣竿２に沿って案内されたライン３は、浮き１のライン挿通孔に挿通される。ライン３の先端部には、サルカンと称される連結具４を介してハリス５が連結される。このハリス５の先端に釣針６が結び付けられている。また、ライン３の所定位置には、浮止具７が取り付けられている。この浮止具７は、釣針６、ハリス５及びライン３等が水中に潜行していくことによって、相対的に浮き１に近接し当接する。これにより、仕掛けが水中に投入された際の、釣針６の水中での位置（俗に「タナ」と称される。）が決定されることになる。
【０００４】
【特許文献１】特開２００１−３０９７３９号
【特許文献２】特開２０００−２８７５９３号
【特許文献３】特開２０００−１２５７２９号
【特許文献４】特開２０００−６０３８３号
【特許文献５】特開平１１−１８６４７号公報
【発明の開示】
【発明が解決しようとする課題】
【０００５】
ところで、一般に実釣においては、釣り場の状況（風、波、潮流等）に応じて浮きの重量（すなわち水中での浮力）や外形形状の大きさが変更される場合がある。つまり、浮き１が他の浮きに交換される場合がある。しかし、中通しタイプの浮きが交換される場合には、釣人は、一旦ライン３を切断し、交換された他の浮きに再びライン３を挿通しなければならず、そのため、浮きの交換作業が繁雑であるという問題があった。この問題は、予め定められた時間内で釣果を競う競技会等においては、特に重大であった。
【０００６】
そこで、本発明の目的は、ラインを切断することなく簡単且つ迅速に交換することができる中通しタイプの釣用浮きを提供することである。
【課題を解決するための手段】
【０００７】
(1) 上記目的が達成されるため、本発明に係る釣用浮きは、所定の外形を呈するように湾曲形成された外周面、軸方向に延びる真直な貫通孔及び当該貫通孔に連続し且つ当該貫通孔に釣糸を上記外周面から径方向に案内して導入するスリットを有するウキ本体と、上記貫通孔の一方側及び他方側に嵌め込まれ、当該貫通孔内で軸方向に互いに係合することによって当該貫通孔に導入された釣糸を軸方向へのスライドを許容した状態で囲繞保持する一対の保持部材とを備えている。一方の保持部材は、上記貫通孔の一端部に嵌合される円筒状頭部と、当該円筒状頭部に連続して上記貫通孔の内奥部に延びる半円筒状部とを有するのが好ましい。また、他方の保持部材は、上記貫通孔の他端部に嵌合される円筒状頭部と、当該円筒状頭部に連続して上記貫通孔の内奥部に延び且つ上記一方の保持部材の半円筒状部と対向配置されることによって上記釣糸を囲繞する半円筒状部とを有するのが好ましい。そして、上記各保持部材の半円筒状部は、それぞれ、相手方と対向する部位に相手方と連結する連結部を備えているのが好ましい。
【０００８】
釣人は、釣糸を浮き本体のスリットに挿入することができる。この釣糸は、このスリットに沿って当該浮き本体の外周面から径方向に移動し、当該浮き本体の軸方向に延びる貫通孔内に進入する。すなわち、釣糸は、その端部から順に軸方向に沿って上記貫通孔に挿入されなくても、釣糸の任意の部位が上記スリットを介して上記貫通孔に挿入される。この状態で、一対の保持部材のうち一方が上記貫通孔の一方側に嵌め込まれ、他方が上記貫通孔の他方側に嵌め込まれる。これにより、釣糸は、この一対の保持部材によって囲繞保持されるから、当該釣糸が当該浮き本体から外れることはない。しかも、この釣糸は、当該浮き本体に対して上記軸方向にスライド自在であるから、当該釣用浮きは、釣糸に対して固定浮きとしても誘導浮きとしても装着され得る。また、この釣糸に当該釣用浮きが装着されている場合には、釣人は、浮き本体の貫通孔に挿入された保持部材を引き抜くことができる。これにより、この釣糸は、上記貫通孔内に配置されることになる。この貫通孔に上記スリットが連続しているから、当該釣糸は、切断されることなく上記スリットを介して浮き本体から取り出される。
【０００９】
この場合、各保持部材に釣糸が予め挿通される。具体的には、各保持部材が円筒状頭部を備えているから、上記対糸は、この円筒状頭部に挿通される。釣人は、前述のように釣糸を浮き本体の貫通孔内に進入させる。釣人は、この貫通孔の一端部に一方の保持部材の半円筒状部を挿入し、その円筒状頭部を上記貫通孔の一端部に嵌め込む。また、釣人は、上記貫通孔の他端部に他方の保持部材の半円筒状部を挿入し、その円筒状頭部を上記貫通孔の他端部に嵌め込む。各保持部材の半円筒状部は、連結部により連結される。すなわち、各半円筒状部は、上記貫通孔内で対向配置され、上記釣糸を囲繞保持する。したがって、この釣糸が当該浮き本体から外れることはない。また、この一対の保持部材が浮き本体から引き抜かれることにより、この釣糸は、上記貫通孔内に配置されることになる。この貫通孔に上記スリットが連続しているから、当該釣糸は、切断されることなく上記スリットを介して浮き本体から取り出される。
【００１０】
(2) 上記浮き本体は、上記貫通孔の壁面に連続し、上記一対の保持部材を位置決めする座部を備えているのが好ましい。
【００１１】
上記一対の保持部材が上記貫通孔に嵌め合わされる場合には、釣人は、各保持部材を上記貫通孔に押し込む。このとき、上記座部が設けられているから、各保持部材が浮き本体に位置決めされ、これら保持部材が上記貫通孔の内奥まで進入することはない。したがって、釣人は、これら保持部材を浮き本体から容易に取り外すことができる。
【００１２】
(3) 上記座部は、上記貫通孔を拡径するように形成された段部からなり、上記半円筒状部は、上記円筒状頭部を縮径するように形成されているのが好ましい。
【００１３】
この場合、上記座部の構造が簡単であり、当該座部が安価に構成され得る。また、上記保持部材の半円筒状部と円筒状頭部との間に段部が形成されることになるから、この段部が上記座部と係合する。したがって、各保持部材の確実な位置決めが可能となる。
【００１４】
(4) 上記連結部は、山部と谷部とが軸方向に所定ピッチで連続する波形凹凸構造から構成され得る。
【００１５】
この場合、一対の保持部材が上記貫通孔に嵌め込まれると、各保持部材の半円筒状部に設けられた山部及び谷部が、対向する保持部材の半円筒状部に設けられた谷部及び山部に噛み合う。これにより、一対の保持部材は、簡単に且つ確実に連結される。
【００１６】
(5) 上記各保持部材の先端部の外径寸法が上記貫通孔の内径寸法に対応されており、上記各保持部材の先端部以外の部分は、先端部より縮径されているのが好ましい。
【００１７】
この構成では、各保持部材が上記貫通孔に嵌め込まれたときは、これらの先端部及び円筒状頭部のみが上記貫通孔の内壁面と当接する。したがって、これら保持部材を浮き本体に着脱する作業が容易になる。また、各保持部材の中間部（すなわち、上記円筒状頭部及び先端部以外の部分）は、上記貫通孔の内壁面との間に隙間を有することになる。したがって、一対の保持部材が上記貫通孔に嵌め込まれる際に、上記中間部が撓み、各保持部材の半円筒状部に設けられた山部と谷部とが円滑に噛み合うという利点がある。
【００１８】
(6) 上記保持部材は、当該保持部材を上記貫通孔から脱抜するための治具が係合される係止部を備えていてもよい。
【００１９】
この係止部が設けられることにより、釣人は、所要の治具を用いて上記保持部材を容易に取り外すことができる。ひいては、釣人は、実釣において、釣用浮きを迅速に交換することができる。
【００２０】
(7) 上記係止部は、軸方向に交差する方向に設けられた係合孔から構成され得る。
【００２１】
この場合、係止部の構造が簡単になるから、上記保持部材が安価に製造され得るという利点がある。
【発明の効果】
【００２２】
本発明に係る釣用浮きでは、釣糸が切断されることなく当該釣糸に浮き本体が着脱される。したがって、釣人は、実釣において迅速に浮き本体を交換することができ、釣用浮きの浮力を調整することができる。
【発明を実施するための最良の形態】
【００２３】
以下、適宜図面が参照されつつ、好ましい実施形態に基づいて本発明が詳細に説明される。
【００２４】
図１は、本発明の一実施形態に係る釣用浮きの縦断面図である。
【００２５】
この釣用浮き１０は、浮き本体１１と、浮き本体１１に着脱され、後述のように釣糸を囲繞保持する一対の保持部材１２、１３とを備えている。本実施形態に係る釣用浮き１０の特徴とするところは、いわゆる中通しタイプの釣用浮きでありながら、釣人は、釣糸を切断することなく、浮き本体１１を他の浮き本体に交換することが出来るようになっている点である。
【００２６】
図２は、浮き本体１１の縦断面図である。図３は、釣用浮き１０の平面図であり、図４は、この釣用浮き１０の横断面図である。
【００２７】
浮き本体１１は、木材、樹脂のほか金属等により構成され得る。浮き本体１１は、図１及び図２が示すように略紡錘形を呈しており、その外周面１４は滑らかな曲面に形成されている。浮き本体１１が略紡錘形に形成されることにより、水面に浮いている釣用浮き１０が水中に潜行する際の抵抗が小さくなる。もっとも、浮き本体１１の外形形状は、略紡錘形のほか、円錐形等さまざまな形状が採用され得る。
【００２８】
浮き本体１１の下端部に錘１５が取り付けられている。この錘１５は、例えば鉛からなり、所定の重量に設定されている。これにより、浮き本体１１が水中に投入されたときの当該浮き本体１１の浮力が決定されている。したがって、錘１５の重量が変更されることにより、浮き本体１１の浮力が変更される。本実施形態では、この錘１５は、滑らかな円錐形に形成されており、当該錘１５の外周面が浮き本体１１の下端部の外形を形成している。もっとも、浮き本体１１の浮力調整のための錘が当該浮き本体１１の下部に埋設されていてもよい。
【００２９】
この浮き本体１１は、その軸方向（同図では上下方向）に貫通孔１６が設けられている。この貫通孔１６は、軸方向に沿って真っ直ぐに形成されている。図２が示すように、この貫通孔１６は、その内径寸法が大きく設定された大径部１７、１８と、その内径寸法が小さく設定された小径部１９とを有する。大径部１７、１８は、小径部１９の上下両端部に連続し、当該小径部１９が拡径されることにより形成されている。大径部１７の内径寸法と大径部１８の内径寸法とは同一であり、本実施形態では、６ｍｍ〜７ｍｍに設定され得る。また、小径部１９の内径寸法は、本実施形態では、４ｍｍ〜５ｍｍに設定され得る。したがって、小径部１９と大径部１７、１８との境界に段部２０、２１が形成されている。この段部２１、２２は、上記小径部１９を構成する壁面２２に連続して形成され、後述されるように、上記保持部材１２、１３を位置決めする座部として機能する。
【００３０】
図３が示すように、この浮き本体１１は、スリット２３を備えている。このスリット２３は、浮き本体１１の外周面１４から内側に切り込まれた切欠により構成され、上記貫通孔１６に連続している。後述されるように、このスリット２３は、釣糸を上記外周面１４側から径方向に上記貫通孔１６へ案内することができる。したがって、このスリット２３の幅寸法ｄは、０．５ｍｍ〜１．５ｍｍに設定されている。
【００３１】
図５は、保持部材１２の斜視図である。
【００３２】
同図が示すように、保持部材１２は、頭部２４（円筒状頭部）と軸部２５（半円筒状部）とを備えている。この保持部材１２は、例えばポリオキシメチレン（ＰＯＭ）等の樹脂により一体的に形成されている。頭部２４は、円筒状に形成されており、その外径寸法は、上記貫通孔１６の大径部１７の内径寸法に対応されている。したがって、この頭部２４は、上記大径部１７に嵌め込まれたときには、所定の保持力で保持されるようになっている。この頭部２４の中心軸に沿って孔２６が設けられている。後述されるように、釣糸は、この孔２６に挿入されるようになっている。また、この頭部２４には、径方向に沿って係合孔２７（係止部）が設けられている。この係合孔２７は、上記孔２６と交差している。この係合孔２７の機能については、後述される。
【００３３】
軸部２５は、同図が示すような半円筒状に形成されており、その中心軸に沿って半円形の孔２８が設けられている。この軸部２５は、頭部２４に連続しており、当該頭部２４を縮径するように形成されている。軸部２５の中心軸は、頭部２４の中心軸と一致している。したがって、頭部２４の孔２６の中心と軸部孔２８の中心とは一致しており、両者の内径寸法も同一である。なお、この孔２６、２８の内径寸法は、釣糸が自由に挿通することができる寸法に設定されている。
【００３４】
軸部２５の先端部２９は拡径されている。本実施形態では、この先端部２９の外径寸法が上記貫通孔１６の小径部１９の内径寸法に対応している。このため、図１が示すように、保持部材１２が上記貫通孔１６に挿入された状態で、上記軸部２５の外周面と上記小径部１９の壁面２２との間に所定の隙間ｔが形成されるようになっている。この隙間ｔが形成されることによる作用効果については後述される。
【００３５】
前述のように上記軸部２５が半円筒状に形成されていることから、この軸部２５は、軸方向に沿う平面からなる側面３０を有する。そして、この側面３０は、波形凹凸構造３１（連結部）を備えている。すなわち、この側面３０に軸方向に沿って山部３２及び谷部３３が所定のピッチで規則的に連続している。山部３２の高さ寸法は所定の値に設定されている。すなわち、山部３２の高さ寸法は、上記山部３２の中央を通り軸方向に延びる平面上に軸部２５の中心軸が存在するように設定されている。
【００３６】
また、上記保持部材１３は、上記保持部材１２と同様の構成である。したがって、保持部材１３の構造についての詳しい説明は省略される。
【００３７】
この釣用浮き１０は、次の要領で使用される。すなわち、釣用浮き１０は、例えば磯フカセ釣りの際に使用され、図１が示すように釣糸３４が挿通され、いわゆる誘導浮きとして使用可能である。
【００３８】
釣糸３４は、上記保持部材１２及び保持部材１３に予め挿通される。すなわち、釣糸３４は、保持部材１２及び保持部材１３の頭部２４（図５参照）に挿通される。このとき、保持部材１２と保持部材１３とは、軸部２４同士が軸方向に対向するように配置される。この状態で釣人は、釣糸３４を浮き本体１１のスリット２３に挿入する。この釣糸３４は、スリット２３に沿って浮き本体１１の外周面１４から径方向に移動し、浮き本体１１の貫通孔１６内に進入する。
【００３９】
釣人は、保持部材１２を貫通孔１６の上方（大径部１７側）から嵌め込み、保持部材１３を下方（大径部１８側）から嵌め込む。これにより、保持部材１２、１３のそれぞれの頭部２４が上記大径部１７、１８に圧入され、保持部材１２、１３の軸部２５は、それぞれ上記小径部１９の内奥側に延びる。
【００４０】
さらに、釣人は、保持部材１２、１３を貫通孔１６に押し込むことにより、保持部材１２、１３の上記側面３０同士が対向する。各側面３０が上記波形凹凸構造３１を備えているから、保持部材１２と保持部材１３とが互いに係合し、これら一対の軸部２５により管状の部材が形成される。このため、図１が示すように、釣糸３４は、一対の保持部材１２、１３によって囲繞保持され、浮き本体１１から外れることはない。この釣糸３４は、保持部材１２、１３に対して自由に挿通することができるから、この釣用浮き１０は、釣糸３４に対して上記軸方向にスライド自在である。したがって、釣用浮き１０は、釣糸３４に対して誘導浮きとして装着される。ただし、この釣用浮き１０が既知の固定手段を介して釣糸３４に対して固定（固定浮きとして使用）されていてもよい。
【００４１】
他方、この釣糸３４に釣用浮き１０が装着されている場合において、釣人は、浮き本体１１から上記保持部材１２、１３を引き抜くことができる。これにより、釣糸３４は、上記貫通孔１６内に配置されることになる。そして、この貫通孔１６に上記スリット２３が連続しているから、釣糸３４は、切断されることなく上記スリット２３を介して浮き本体１１から取り出される。
【００４２】
このように、本実施形態に係る釣用浮き１０では、釣糸３４は、その端部から順に軸方向に沿って浮き本体１１に挿通されなくても、釣糸３４の任意の部位が上記スリット２３を介して浮き本体１１内に設けられた貫通孔１６に対して挿抜される。すなわち、釣糸３４が切断されることなく当該釣糸３４に浮き本体１１が着脱されるので、釣人は、予め複数の浮き本体を携帯しておくことにより、実釣において迅速に浮き本体１１を他の浮き本体に交換することができる。したがって、実釣において迅速に釣用浮きの浮力を調整することができる。
【００４３】
特に、本実施形態では、上記浮き本体１１に上記段部２０、２１（図１及び図２参照）が設けられている。このため、保持部材１２、１３が上記貫通孔１６の内奥部に押し込まれたときに、保持部材１２の頭部２４が段部２０に当接し、保持部材１３の頭部２４が段部２１に当接する。すなわち、保持部材１２、１３が浮き本体１１の所定位置に位置決めされ、これら保持部材１２、１３が上記貫通孔１６の奥まで進入することはない。したがって、釣人は、これら保持部材１、１３を浮き本体１１から容易に取り外すことができるという利点がある。
【００４４】
また、本実施形態では、上記段部２０、２１は、上記貫通孔１６の小径部１９が拡径されることにより構成されているから、保持部材１２、１３の確実な位置決めが可能であると共に、この段部２０、２１の構造が簡単であるから、浮き本体１１の製造コストが大幅に上昇することはないという利点がある。
【００４５】
さらに、本実施形態では、保持部材１２、１３が上記貫通孔１６に挿入されたときに、保持部材１２の軸部２５に形成された山部３２及び谷部３３が、対向する保持部材１３の軸部２５に設けられた谷部３３及び山部３２に対して相対的にスライドしながら噛み合う。これにより、一対の保持部材１２、１３は、簡単な構造で確実に連結される。このとき、釣人は、保持部部材１２については、頭部２４が浮き本体１１の外周面と滑らかに連続するように上記貫通孔１６に押し込み、保持部材１３については、頭部２４が若干浮き本体１１の下部から突出するように上記貫通孔１６に押し込むことができる。もっとも、保持部材１２が上記浮き本体１１から突出するように挿入されていてもよいし、保持部材１３が上記浮き本体１１内に完全に押し込まれていてもよい。
【００４６】
特に、本実施形態では、図１が示すように、上記各保持部材１２、１３の軸部２５のうち先端部２９のみが上記貫通孔１９の壁面２２と当接する。したがって、保持部材１２、１３と浮き本体１１との間に発生する摩擦力が抑えられる。その結果、釣人は、これら保持部材１２、１３を浮き本体１１に着脱する作業が容易になる。また、上記先端部２９のみが上記壁面２２と当接することから、各保持部材１２、１３の中間部（すなわち、上記頭部２４及び先端部２９以外の部分）と上記壁面２２との間に上記隙間ｔが形成される。したがって、一対の保持部材１２、１３が上記貫通孔１６に嵌め込まれる際に、上記中間部が撓み、各保持部材１２、１３の軸部２５に設けられた山部３２と谷部３３とが円滑に噛み合うという利点がある。
【００４７】
加えて、上記保持部材１２、１３は、上記係合孔２７を備えている。この係合孔２７が設けられることにより、釣人は、所要の治具を用いて上記保持部材１２、１３を浮き本体１１から容易に取り外すことができる。その結果、釣人は、実釣において、浮き本体１１を他の浮き本体に迅速に交換することができる。このように、上記保持部材１２、１３を取り外すための手段（係合孔２７）が設けられていても、当該手段がきわめて簡単な構造であるから、上記保持部材１２、１３の製造コストが大幅に上昇することはない。
【００４８】
図６は、本実施形態の変形例に係る釣用浮きの縦断面図である。
【００４９】
同図は、小さいサイズの浮き本体３５に保持部材１２、１３が嵌め込まれた状態を示している。本変形例のように、軸方向寸法が小さい浮き本体３５に保持部材１２、１３が装着される場合には、各保持部材１２、１３は、貫通孔１６内でオーバーラップする領域が広くなるように嵌め込まれる。上記保持部材１２、１３は、その側面３０に軸方向に沿って複数の山部３２及び谷部３３を備えているから、各保持部材１２、１３は、互いに相手方に対して容易にスライドすることができる。このように、各保持部材１２、１３は、浮き本体３５のサイズに応じた位置まで貫通孔１６の内奥に挿入される。換言すれば、保持部材１２、１３は、さまざまなサイズの浮き本体に適合することができ、その結果、釣人は、さまざまなサイズの浮き本体を釣糸３４に対して着脱することができる。
【００５０】
また、前述のように、浮き本体１１の外形形状は、略紡錘形に限らず、他の形状が採用されてもよい。さらに、本実施形態では、上記貫通孔１６は、当該浮き本体１１の軸方向に沿って真直に形成されているが、この場合の「軸方向」とは、浮き本体１１の中心軸方向に限定されるものではなく、釣糸３４が浮き本体１１に挿通される方向である。したがって、例えば、釣糸３４が水面に対して一定の角度で斜行するように浮き本体１１に挿通される場合には、上記軸方向とは、当該水面に対して一定の角度で斜行する方向である。
【００５１】
また、上記保持部材１２、１３において、上記頭部２４と軸部２５との外径寸法が一致されていてもよいし、軸部２５の先端部２９の外径寸法が上記中間部の外径寸法と一致されていてもよい。加えて、対向する保持部材１２、１３を連結するために、上記波形凹凸構造３１のほかに既知の連結手段が採用されてもよいことは勿論である。
【産業上の利用可能性】
【００５２】
本発明は、釣用浮きに適用され得る。
【図面の簡単な説明】
【００５３】
【図１】図１は、本発明の一実施形態に係る釣用浮きの縦断面図である。
【図２】図２は、本発明の一実施形態に係る浮き本体の断面図である。
【図３】図３は、本発明の一実施形態に係る釣用浮きの平面図である。
【図４】図４は、本発明の一実施形態に係る釣用浮きの横断面図である。
【図５】図５は、本発明の一実施形態に係る釣用浮きの保持部材の斜視図である。
【図６】図６は、本発明の一実施形態の変形例に係る釣用浮きの縦断面図である。
【図７】図７は、一般的な浮き釣りの仕掛けを示す模式図である。
【符号の説明】
【００５４】
１０・・・釣用浮き
１１・・・浮き本体
１２・・・保持部材
１３・・・保持部材
１４・・・外周面
１６・・・貫通孔
２０・・・段部
２１・・・段部
２２・・・壁面
２３・・・スリット
２４・・・頭部
２５・・・軸部
２６・・・孔
２７・・・係合孔
２８・・・孔
２９・・・先端部
３０・・・側面
３１・・・波形凹凸構造
３２・・・山部
３３・・・谷部
３４・・・釣糸
【図１】
0004804056.tif 000002
【図２】
0004804056.tif 000003
【図３】
0004804056.tif 000004
【図４】
0004804056.tif 000005
【図５】
0004804056.tif 000006
【図６】
0004804056.tif 000007
【図７】
0004804056.tif 000008